(57)【要約】【課題】  リモートカラープルーフを適用するときに、写真画像を含む原稿での文字の校正指示を的確に伝達可能とする校正原稿を形成する。【解決手段】  校正原稿６０Ａ、６０Ｂは、イメージオブジェクト４６及びグラフィックオブジェクト４８に換えて、該当位置にあたり罫６２を配置し、このあたり罫と共に文字であるテキストオブジェクト４４を形成し、また、校正原稿６０Ｂはあたり罫に加えてファイル名６４が形成されている。このような校正原稿を用いることにより形成されている文字の的確な視認が可能となると共に、赤入れした校正指示の正確な視認が可能となるので、校正指示の正確な伝達が可能となる。【選択図】        図５
2006279097.tif 000002
【特許請求の範囲】
【請求項１】
文字と共に写真画像を含むオブジェクトが配置された原稿の画像データから、原稿に対する校正指示を書き込む校正原稿を形成する校正原稿の形成方法であって、
前記画像データに基づいて前記文字を形成すると共に、
前記文字を除く前記オブジェクトが配置される位置に、オブジェクトの画像サイズに合わせて枠組みしたあたり罫を、該オブジェクトに換えて形成することを特徴とする校正原稿の形成方法。
【請求項２】
前記あたり罫に隣接して、該あたり罫内に配置するオブジェクトを特定可能な情報を形成することを特徴とする校正原稿の形成方法。
【請求項３】
文字と共に写真画像を含むオブジェクトが配置された原稿の画像データから、原稿に対する校正指示を書き込む校正原稿を形成する校正原稿の形成方法であって、
前記画像データに基づいて前記文字を形成すると共に、
前記画像データに基づいて前記オブジェクトを形成するときに、該オブジェクトを形成する画素間を開けて形成する、
ことを特徴とする校正原稿の形成方法。
【請求項４】
前記画素間を開けることにより非画素面積を広げることを特徴とする請求項３に記載の校正原稿の形成方法。
【請求項５】
文字と共に写真画像を含むオブジェクトが配置された原稿の画像データから、原稿に対する校正指示を書き込む校正原稿を形成する校正原稿の形成方法であって、
前記画像データに基づいて前記文字を形成すると共に、
前記画像データに基づいて前記オブジェクトを形成するときに、該オブジェクトを形成する画素のドットを一律に縮小して形成する、
ことを特徴とする校正原稿の形成方法。
【請求項６】
前記オブジェクトとして、グラフィック画像を含むことを特徴とする請求項１から請求項５の何れか１項に記載の校正原稿の形成方法。
【請求項７】
画像データに基づいて所定の画像処理を施すと共に、印刷出力装置で画像を形成するラスタデータを生成する画像処理手段を含み、文字と共に写真画像を含むオブジェクトが配置された原稿の画像データが画像処理装置から入力されたときに、該画像データに基づいて前記原稿に対する校正指示を書き込む校正原稿を形成する画像形成装置であって、
前記オブジェクトに換えて該オブジェクトのあたり罫を形成するように設定可能な処理設定手段を含み、
前記画像処理手段が、前記設定手段の設定に基づいたラスタデータを生成することを特徴とする画像形成装置。
【請求項８】
前記処理設定手段が、前記オブジェクトを形成する画素の間隔を広げて形成するように設定可能であることを特徴とする請求項７に記載の画像形成装置。
【請求項９】
前記処理設定手段が、前記オブジェクトを形成する画素のドットを一律に縮小するように設定可能とであることを特徴とする請求項７又は請求項８に記載の画像形成装置。
【請求項１０】
前記画像処理手段が、画像データに基づいたラスタデータを生成した後、該ラスタデータに対して、前記設定手段の設定に基づいた処理を行うことを特徴とする請求項８又は請求項９に記載の画像形成装置。
【請求項１１】
前記処理設定による設定を選択して指定可能な選択手段を含み、前記処理設定手段が前記選択手段の指定に基づいた処理を設定することを特徴とする請求項８から請求項１０の何れか１項に記載の画像形成装置。
【請求項１２】
前記選択手段が前記画像処理装置に設けられていることを特徴とする請求項１１に記載の画像形成装置。
【発明の詳細な説明】
【技術分野】
【０００１】
本発明は、赤入れ等によって校正指示を書き込んだ原稿（赤入れ原稿）などを作成するための校正原稿に係り、特に文字などの校正に用いる校正原稿の形成方法及び画像形成装置に関する。
【背景技術】
【０００２】
印刷処理の分野におけるデジタル化として、ＤＴＰ（Desktop Publishing）化が浸透している。ＤＴＰは、パーソナルコンピュータやワークステーション等の処理装置上で、画像の作成、加工、編集等を行うことによりページレイアウトを作成し、このページレイアウトに基づいて印刷版を露光するためのフィルムの作成を行ったり（ＣＥＰＳ）、印刷版に直接書き込んで印刷用の刷版を作成する（ＣＴＰ：Computer to Plate）。
【０００３】
また、実際の刷版を用いた印刷に先立って校正等を行うときには、ＷＹＳＩＷＹＧ機能等を用いて、モニタに表示したページレイアウトを、ページプリンタ等の印刷出力装置によって印刷出力してカラープルーフを作成する（カンプ出力）。
【０００４】
一方、最終的な印刷物を得る前には、校正用に作成したカラープルーフを、印刷会社から印刷物の発注者（依頼主）などに渡して、発注者等による校正が行われる。すなわち、カラープルーフを元の原稿として、修正個所に赤入れ等によって修正指示を書き込み（以下、赤入れとする）、修正原稿（赤入れ原稿）を作成する。
【０００５】
発注者は、この修正原稿を印刷会社に渡して、元の原稿に対する修正を指示し、この修正指示に基づいた修正が行われることにより、印刷用の画像データが得られるようにしている。
【０００６】
近年のネットワークの普及と汎用プリンタの色再現性の向上に伴って、ネットワーク伝送を用いたリモートカラープルーフが用いられることがある。このリモートカラープルーフでは、印刷会社側から発注者へ画像データを伝送して、発注者側のプリンタを用いてカラープルーフを印刷出力することにより、発注者にカラープルーフを受け渡す。発注者は、このカラープルーフに赤入れを行うことにより修正原稿を作成し、作成した修正原稿を、画像読取り装置（例えばスキャナ）によって読み取って修正原稿に応じた画像データを作成し、この画像データを、ネットワーク伝送によって印刷会社に伝送する。
【０００７】
これにより、印刷会社では、発注者から伝送された修正原稿の画像データに基づいて元の画像データに対する修正等の処理が可能となる。
【０００８】
ところで、ネットワークを介して多量のデータを伝送する時には、伝送時間が長くなってしまう。また、ネットワークには、データ量に応じて課金される従量制を適用したものがあり、このようなネットワークを利用しているときに多量のデータを伝送すると、伝送コストが高くなってしまう。
【０００９】
ここから、赤入れ等の修正を施した修正原稿から赤入れ情報を抽出し、元の原稿の画像は伝送せず、抽出した赤入れ情報のみを伝送するリモートカラープルーフシステムの提案がなされる（例えば、特許文献１参照。）。
【００１０】
この提案では、修正原稿から赤入れ情報を抽出し、この赤入れ情報のデータ（画像データ）のみを伝送することにより、伝送データ量の低減を図り、伝送時間の短縮や、伝送コストの低減を可能としている。また、赤入れ情報のデータ（画像）を単色にしたり、解像度を下げることにより、ネットワークカラープルーフを利用するときの、より一層の伝送データ量の減少を達成できるようにしている。
【特許文献１】特開２００３−１４３３９４号公報
【発明の開示】
【発明が解決しようとする課題】
【００１１】
しかしながら、文字以外のオブジェクトが多い原稿では、解像度を落としただけでは、赤入れ部分が目立たなくなることがあり、このために、文字などに対する修正指示が不明瞭となってしまう。また、校正原稿を白黒のファクシミリなどで伝送しなければならないことがあり、このようなときには、修正漏れが生じる恐れがある。
【００１２】
また、校正した原稿を印刷会社だけでなく、他の場所や校正者へ送ることがあり、このとき、校正原稿の伝送先が、元の原稿を持っていないと、赤入れ部分のみを伝送すると、どのような原稿に対する校正原稿なのであるかや、校正指示の内容がわからないという問題が生じる。
【００１３】
本発明は上記事実に鑑みてなされたものであり、リモートカラープルーフを適用するときに、特に文字等に対する的確な校正指示の伝達を可能とする校正原稿の形成方法及び画像形成装置を提供することを目的とする。
【課題を解決するための手段】
【００１４】
上記目的を達成するために本発明は、文字と共に写真画像を含むオブジェクトが配置された原稿の画像データから、原稿に対する校正指示を書き込む校正原稿を形成する校正原稿の形成方法であって、前記画像データに基づいて前記文字を形成すると共に、前記文字を除く前記オブジェクトが配置される位置に、オブジェクトの画像サイズに合わせて枠組みしたあたり罫を、該オブジェクトに換えて形成することを特徴とする。
【００１５】
この発明によれば、写真画像などのオブジェクトに換えて、あたり枠を形成する。このとき、文字は、そのまま校正原稿上に形成する。
【００１６】
これにより、赤入れによって書き込まれる修正指示が、写真画像などのオブジェクトに紛れることが無く、明瞭に識別可能となる。
【００１７】
なお、あたり罫を形成するときには、前記あたり罫に隣接して、該あたり罫内に配置するオブジェクトを特定可能な情報を形成することが好ましく、このときの情報としては、該当オブジェクトのファイル名やデータ名等を適用することができる。
【００１８】
また、本発明は、文字と共に写真画像を含むオブジェクトが配置された原稿の画像データから、原稿に対する校正指示を書き込む校正原稿を形成する校正原稿の形成方法であって、前記画像データに基づいて前記文字を形成すると共に、前記画像データに基づいて前記オブジェクトを形成するときに、該オブジェクトを形成する画素間を開けて形成する、ことを特徴とする。
【００１９】
このとき、本発明では、前記画素間を開けることにより非画素面積を広げることを特徴とする。
【００２０】
この発明によれば、写真画像などのオブジェクトを形成するときの画素を間引くなどすることにより、画素の間を開け、網点の間隔が広がるようにする。所謂、網点の荒い画像が形成されるようにする。また、網点を荒くすることにより、下地となる白色などの面積となる非画素面積を広げる。これにより、単に解像度を下げたときと異なり、赤入れ部分が明瞭となるようにすることができる。
【００２１】
さらに、本発明は、文字と共に写真画像を含むオブジェクトが配置された原稿の画像データから、原稿に対する校正指示を書き込む校正原稿を形成する校正原稿の形成方法であって、前記画像データに基づいて前記文字を形成すると共に、前記画像データに基づいて前記オブジェクトを形成するときに、該オブジェクトを形成する画素のドットを一律に縮小して形成する、ことを特徴とする。
【００２２】
この発明によれば、写真画像などのオブジェクトを形成するときに、ドットを一定比率で縮小することにより、薄い色で現れるようにする。
【００２３】
校正原稿内のオブジェクトを荒い網点で形成したり、薄い色で形成することにより、校正原稿に本来のオブジェクトを視認可能な画像を形成しながら、赤入れによって書き込む修正指示（校正指示）が不明瞭となってしまうのを防止することができる。
【００２４】
すなわち、本発明は、写真画像等のオブジェクトを、あたり罫で表す校正原稿、荒い網点で表した校正原稿及び、薄い色で表した校正原稿を形成する。
【００２５】
このような本発明では、写真画像のみならず、図形などのグラフィック画像に対しても適用することができる。
【００２６】
また、本発明を適用する画像形成装置は、画像データに基づいて所定の画像処理を施すと共に、印刷出力装置で画像を形成するラスタデータを生成する画像処理手段を含み、文字と共に写真画像を含むオブジェクトが配置された原稿の画像データが画像処理装置から入力されたときに、該画像データに基づいて前記原稿に対する校正指示を書き込む校正原稿を形成する画像形成装置であって、前記オブジェクトに換えて該オブジェクトのあたり罫を形成するように設定可能な処理設定手段を含み、前記画像処理手段が、前記設定手段の設定に基づいたラスタデータを生成するものであればよく、このとき、前記処理設定手段が、前記オブジェクトを形成する画素の間隔を広げて形成するように設定可能であっても良く、また、前記処理設定手段が、前記オブジェクトを形成する画素のドットを一律に縮小するように設定可能とであっても良い。
【００２７】
また、本発明を適用する画像形成装置は、前記画像処理手段が、画像データに基づいたラスタデータを生成した後、該ラスタデータに対して、前記設定手段の設定に基づいた処理を行うものであっても良い。
【００２８】
すなわち、ラスタデータを生成するときに、処理設定手段の設定に基づいた画像処理を行うものであっても良いが、網点を荒くするときや、薄い色となるようにするときには、ラスタデータに対して該当する処理を行うものであっても良い。
【００２９】
また、画像形成装置としては、前記処理設定による設定を選択して指定可能な選択手段を含み、前記処理設定手段が前記選択手段の指定に基づいた処理を設定することが好ましく、このとき、前記選択手段を前記画像処理装置に設けることもできる。
【発明の効果】
【００３０】
以上説明したように本発明によれば、写真画像等のオブジェクトを、あたり罫で表すか、荒い網点で表すか又は、薄い色で表した校正原稿を形成する。これにより、校正原稿上の文字などの視認は勿論、赤入れした校正指示の的確な視認が可能となり、校正指示に沿った原稿の修正漏れが生じるのを防止することが可能となるという優れた効果が得られる。
【００３１】
また、本発明は、写真画像等のオブジェクトを、荒い網点で表すか、又は、薄い色で表した校正原稿を形成することにより、元の原稿を持っていない相手に伝送したときにも、伝送先で校正内容の確認が可能となる。
【発明を実施するための最良の形態】
【００３２】
以下に図面を参照しながら本発明の実施の形態を説明する。図１には、本実施の形態に適用した校正システム１０の概略構成を示している。この校正システム１０は、複数のネットワークユーザー１２が、ネットワーク接続されている。
【００３３】
なお、ネットワークユーザー１２は、それぞれが構内ＬＡＮ（ローカルエリアネットワーク）等のネットワークを形成していてもよく、校正システム１０は、このネットワークユーザー１２同士を接続して形成しており、ネットワークユーザー１２の接続は、電話回線などの通信回線や公衆ネットワーク（インターネット）に限らず、専用通信線を用いたネットワークを適用することもでき、このときに、伝送するデータ量等に応じて課金する従量制ネットワークなどを適用することができる。
【００３４】
ネットワークユーザー１２（以下、単にユーザー１２とする）は、例えば、原稿作成及び作成した原稿に基づいた印刷処理を行う印刷会社など（以下、区別するときにはユーザー１２Ａとする）及び、印刷会社へ原稿の作成／修正及び印刷処理を依頼する発注者など（以下、区別するときにはユーザー１２Ｂとする）を適用できる。
【００３５】
ユーザー１２Ａには、少なくとも、各種のアプリケーションを用いてページレイアウトやドキュメント等の印刷用の原稿を作成可能な画像処理端末１４及び、各種の画像データに基づいた印刷処理を行うプリンタ１６が接続されたプリントサーバ１８が設けられている。
【００３６】
なお、ユーザー１２Ａには、画像処理端末１４によって作成したページレイアウトやドキュメントなどの画像データに基づいて印刷用の刷版を作成するために感光性平版印刷版等を直接露光するプレートセッターや、感光性平版印刷版への画像焼付（露光）に用いる原稿フィルムを露光する露光装置等が設けられていても良い。
【００３７】
ユーザー１２Ｂには、少なくとも、ユーザー１２Ａから伝送される画像データに応じた印刷処理を行うプリンタ２０と、原稿等に記録された画像を読み込んで画像データを生成する画像読取り装置（スキャナ２２）が設けられており、これらが例えばサーバ２４に接続している。また、ユーザー１２Ｂには、各種の画像処理を行う画像処理端末２６が設けられていても良い。
【００３８】
なお、ユーザー１２Ｂでは、プリンタ２０、スキャナ２２及びサーバ２４を一体にした複合機を用いても良く、サーバ２４に替えて画像処理端末２６によってプリンタ２０やスキャナ２２の作動を制御するものであっても良い。
【００３９】
また、校正システム１０では、画像処理端末１４、２６として、パーソナルコンピュータやワークステーションなどの従来公知の画像処理端末を用いることができる。また、プリントサーバ１８やサーバ２４は、例えば、パーソナルコンピュータ（ＰＣ）に所定機能のＰＣＩボード等を追加することにより形成可能な従来公知の一般的構成を適用できる。
【００４０】
これにより、ユーザー１２Ａ、１２Ｂのそれぞれでは、画像処理端末１４、２６から印刷ジョブをプリントサーバ１８又はサーバ２４へ送ることにより、プリンタ１６、２０を用いた印刷処理が実行される。このとき、プリントサーバ１８やサーバ２４では、画像データに基づいた画像処理（ＲＩＰ処理など）を実行して印刷データ（ラスタデータ）をプリンタ１６、２０へ出力する。すなわち、プリンタ１６、２０としては、ラスタデータのみを取り扱うダムプリンタ等を用いることができる。
【００４１】
また、ユーザー１２Ｂでは、スキャナ２０によって読み込んだ原稿画像の印刷出力（複写）、画像データのＨＤＤなどの図示しない記憶手段への格納や、画像処理端末２６等への出力が可能となっている。
【００４２】
一方、校正システム１０では、ユーザー１２間でのデータ伝送が可能となっており、これにより、ユーザー１２Ａの画像処理端末１４で作成したページレイアウトやドキュメントなどの画像データを、画像処理端末１４から、ユーザー１２Ｂのサーバ２４や画像処理端末２６へ伝送可能となっている。このとき、画像データがサーバ２４へ伝送されるか、又は画像処理端末２６からサーバ２４へ伝送されることにより、サーバ２４では、該当画像データを印刷ジョブとして印刷処理可能となっている。
【００４３】
また、ユーザー１２Ｂでは、画像処理端末２６で保持している画像データやスキャナ２２によって読み込んだ画像データを、別のユーザー１２Ｂのサーバ２４や画像処理端末２６へ伝送可能であると共に、ユーザー１２Ａの画像処理端末１４やプリントサーバ１８へ伝送可能となっており、例えば、プリントサーバ１８へ画像データを伝送したり、画像処理端末１４からプリントサーバ１８へ伝送されることにより、プリントサーバ１８では、該当画像データを印刷ジョブとして印刷処理可能となっている。
【００４４】
このように構成されている校正システム１０では、ユーザー１２Ａの画像処理端末１４によって作成したページレイアウトやドキュメントなどに対する校正処理を行うときに、該当画像の画像データ（（校正原稿の画像データ、原稿画像データ）を、ユーザー１２のサーバ２４へ直接伝送したり、画像処理端末２６を介してサーバ２４へ伝送して、プリンタ２０から印刷出力することにより、校正用の原稿（校正原稿、カラープルーフ）としてユーザー１２Ｂの校正者に渡すことができる。
【００４５】
また、校正システム１０では、校正原稿に赤入れ等によって校正指示を書き込むなどして形成された校正指示原稿（赤入れ原稿）を、ユーザー１２Ａに校正指示として戻すときには、この赤入れ原稿の画像を、スキャナ２２によって読み込んで赤入れ原稿の画像データ（赤入れ画像データ）を生成し、この赤入れ画像データを、ユーザー１２Ａのプリントサーバ１８ないし画像処理端末１４へ伝送するようにしている。
【００４６】
ところで、校正システム１０では、赤入れ原稿上の校正指示が、ユーザー１２Ｂから的確にユーザー１２Ａに伝わるようにできる赤入れ原稿が作成可能な校正原稿を印刷出力できるようにしている。
【００４７】
ここで、ユーザー１２Ｂに設けているサーバ２４によってプリンタ２０から印刷出力する校正原稿及び校正原稿の印刷出力を説明する。
【００４８】
ユーザー１２Ｂに設けているサーバ２４は、プリントサーバとしての機能を備えており、図２には、サーバ２４でのプリントサーバ機能の概略構成を示している。
【００４９】
サーバ２４には、ネットワークインターフェイス（ネットワークＩ／Ｆ）２８が設けられており、このネットワークＩ／Ｆ２８を介して、画像処理端末２６や、他のユーザー１２に接続している。また、サーバ２４は、周辺機器と接続するインターフェイスとして双方向インターフェイス（双方向Ｉ／Ｆ）３０を備えており、この双方向Ｉ／Ｆ３０を介してプリンタ２０が接続している。
【００５０】
なお、サーバ２４と画像処理端末２６等の接続は、任意のネットワークプロトコルによる接続を適用することができ、また、サーバ２４としては、ファクシミリ用のプロトコルによってデータの送受信が可能であってもよい。
【００５１】
このようなサーバ２４は、パーソナルコンピュータ（ＰＣ）に所定の機能を備えたＰＣＩボードを追加するなどして構成することができる。また、サーバ２４は、キーボード、マウス等の入力デバイスやＣＲＴディスプレイやＬＣＤディスプレイ等の表示デバイスを備えており、表示デバイスに表示した画像に対する処理及び表示画像を印刷出力するＷＹＳＩＷＹＧ機能を備えたものであっても良い。
【００５２】
このサーバ２４には、サーバ２４自体と共にプリンタ２０を制御するプリントコントローラ３２、画像処理部３４及び各種のデータを記憶するＨＤＤ３６が設けられている。
【００５３】
画像処理部３４は、画像処理端末２６等から印刷ジョブとして入力される画像データや描画命令などのジョブデータに基づいた画像処理及びラスタデータを生成するＲＩＰ処理を行なう。
【００５４】
また、サーバ２４では、入力された印刷ジョブを処理待ちキューに格納すると共に、処理待ちキューに格納している印刷ジョブを順に読み出して、画像処理（ＲＩＰ処理）を実行し、画像処理されてプリンタ２０へ出力されるデータ（ラスタデータ）を印刷待ちキューに格納して、この印刷待ちキューからプリンタ２０へ順に出力する。また、サーバ２４では、印刷処理が指定されていないか印刷処理の実行ができないジョブに加えて、サーバ２４への格納が指定されているジョブを保持キューに格納して保持する。
【００５５】
このときに、サーバ２４では、該当ジョブに対して画像処理及びＲＩＰ処理を行って、ラスタデータとして保持することも可能となっている。このように、サーバ２４の基本構成は、一般的なプリントサーバ機能を備えたものであれば良く、本実施の形態では、サーバ２４の基本的構成の説明を省略する。
【００５６】
サーバ２４には、印刷機能設定部３８が設けられており、印刷ジョブ等のジョブを受信すると、印刷ジョブで指定されている各種の印刷機能の設定を行う。なお、サーバ２４では、従来公知の印刷機能の設定が可能となっており、印刷機能設定部３８では、印刷ジョブで指定されている印刷機能を判断し、それぞれの印刷機能をプリントコントローラ３２及び画像処理部３４で実行されるように設定する。
【００５７】
一方、サーバ２４は、ユーザ１２Ａから校正する原稿の画像データに対する処理設定を行う処理設定部４０が設けられている。この処理設定部４０では、画像データに基づいて校正原稿を印刷出力するときの校正原稿出力設定を行う。
【００５８】
例えば、図４に示すように、校正する原稿４２には、文字などのテキストオブジェクト４４に加えて、写真画像などのイメージオブジェクト４６や、図形やイラストなどのグラフィックオブジェクト４８が含まれる。
【００５９】
一般に、テキストオブジェクト４４は、白黒（黒色）などの単色画像であるのに対して、イメージオブジェクト４６やグラフィックオブジェクト４８はカラー画像となっている。
【００６０】
校正作業を行うときには、赤色などの筆記具を用いて、校正原稿に修正指示などを書き込み（赤入れ）、赤入れを行った校正原稿（赤入れ原稿）を、ユーザー１２Ａに戻すことにより、原稿の修正が行われるようにしている。
【００６１】
校正システム１０では、リモートカラープルーフが適用されており、ユーザー１２Ａからユーザー１２Ｂに校正原稿を渡すときには、画像処理端末１４から校正原稿用の画像データ（原稿の画像データ）を伝送し、ユーザー１２Ｂがこの画像データに基づいて校正原稿を印刷出力する。
【００６２】
また、校正システム１０では、校正原稿に基づいて作成した赤入れ原稿をユーザー１２Ｂからユーザー１２Ａに戻すときや、ユーザー１２Ｂから他のユーザー１２Ｂに渡すときに、赤入れ原稿をスキャナ２２によって読み込んで、赤入れ原稿に応じた画像データを生成し、この画像データをユーザー１２Ａや、他のユーザー１２Ｂに伝送するようにしている。
【００６３】
このとき、校正原稿にカラー画像が多用されていると、赤入れ部分が目立たなくなり、修正漏れなどが生じ易くなる。ここから、サーバ２４では、赤入れ部分が校正原稿（赤入れ原稿）上で目立つようにする処理設定が可能となっている。
【００６４】
以下では、一例として、この処理設定をサーバ２４に設けている処理設定部４０で行うものとして説明するが、例えば、画像処理端末１４、２６から校正原稿用の画像データをサーバ２４等へ伝送するときに、印刷設定として設定されるものであっても良い。
【００６５】
なお、処理設定をサーバ２４上で行うことにより、全ての校正原稿を出力するときに適用されるものであって良く、また、校正原稿ごとに処理設定がなされるものであっても良い。
【００６６】
本実施の形態に適用した校正システム１０に設けているサーバ２４では、この校正原稿を印刷出力するときの処理設定として、テキストオブジェクト４４を除くイメージオブジェクト４６ないしグラフィックオブジェクト４８等に対する処理を設定する。
【００６７】
サーバ２４では、校正原稿に対する処理設定に用いるＵＩが記憶されており、このＵＩを表示デバイスに表示しながら、キーボード、マウスなどの入力デバイスを用いて、校正原稿に対する処理設定の入力が可能となっている。
【００６８】
図３には、このＵＩの一例とする設定ウィンド５０を示している。この設定ウィンド５０には、チェックボックス５２が設けられており、このチェックボックス５２をマークすることにより、校正原稿に対する処理設定が可能となっている。
【００６９】
また、設定ウィンド５０には、ラジオボタン５４Ａ、５４Ｂ、５４Ｃが設けられており、チェックボックス５２をマークすることにより、ラジオボタン５４Ａ〜５４Ｃの何れかに対応する項目の選択設定が可能となっている。
【００７０】
サーバ２４では、校正原稿に対する処理設定として、イメージオブジェクトなどに対して、「あたり罫で印刷（プリント）」、「荒い網点で印刷（プリント）」及び「薄い色で印刷（プリント）」が可能となっており、ラジオボタン５４Ａ、５４Ｂ、５４Ｃが、それぞれの処理項目に対応している。
【００７１】
これにより、設定ウィンド５０では、ラジオボックス５４Ａ〜５４Ｃによって、校正原稿に対する処理として、「あたり罫で印刷」、「荒い網点で印刷」又は「薄い色で印刷」の何れかを選択して設定可能となっている。
【００７２】
また、サーバ２４では、イメージオブジェクト４６などに対してあたり罫を印刷するときに、該当するイメージオブジェクト４６を特定可能とする情報として、ファイル名の印刷が可能となっており、ラジオボタン５４Ａを選択した状態で、チェックボックス５６をチェックすることにより、あたり罫と該当位置のオブジェクトのファイル名を印刷するように設定可能となっている。
【００７３】
また、サーバ２４では、荒い網点で印刷する画像（オブジェクト）として写真などのイメージオブジェクト４６のみを指定することが可能となっている。すなわち、写真などのイメージオブジェクト４６は、網点を荒くしても、形成している画像の把握が可能であることが多いが、グラフィックオブジェクト４８などでは、網点を荒くすると、形成される図形の判別が困難となることが多い。
【００７４】
ここから、ラジオボタン５４Ｂを選択した状態で、チェックボックス５８をマークすることにより、イメージオブジェクト（写真）４６のみを指定して、荒い網点で印刷するよに設定可能となっている。また、チェックボックス５８をマークしないときには、イメージオブジェクト４６と共に、グラフィックオブジェクト４８に対しても、荒い網点で印刷されるように設定することができる。
【００７５】
ここで、あたり罫で印刷出力をするように設定されていると、図５（Ａ）に示すように、校正原稿６０として、イメージオブジェクト４６やグラフィックオブジェクト４８の配置位置に、所定太さの罫線によって枠組みしたあたり罫６２を印刷した校正原稿６０Ａが得られるようになっている。
【００７６】
一般にあたり罫は、印刷用の原稿上のイメージオブジェクトやグラフィックオブジェクトなどの各種のオブジェクトの配置位置及び配置領域を示すようになっており、また、印刷物上には現れないようになっている。サーバ２４は、このあたり罫６２を印刷することより、イメージオブジェクト４６やグラフィックオブジェクト４８の配置位置及び領域が明確となるようにしている。
【００７７】
原稿４２を作成するときには、どのページにどの写真（イメージオブジェクト４６）や、どの図形（グラフィックオブジェクト４８）を配置するかが予め決定されていることがあり、このようなときには、校正原稿６０上での印刷が不要とすることが可能となり、これにより、あたり罫６２のみを印刷した校正原稿６０Ａを用いることができる。
【００７８】
また、サーバ２４では、ファイル名の印刷が設定されていることにより、図５（Ｂ）に示すように、あたり罫６２と共に、イメージオブジェクト４６、グラフィックオブジェクト４８のファイル名６４が印刷された校正原稿６０Ｂが得られるようにしている。
【００７９】
原稿４２の画像データには、イメージオブジェクト４６やグラフィックオブジェクト４８を、個別のデータファイルとなっているものがあり、このときに、ファイル名を印刷した校正原稿６０Ｂを用いることにより、あたり罫６２内に配置するイメージオブジェクト４６やグラフィックオブジェクト４８の確認が可能となるようにしている。
【００８０】
また、サーバ２４では、イメージオブジェクト４６などに対して、荒い網点で印刷出力するように設定されていると、例えば５０lpi程度の網点で印刷出力されるように画像処理を施す。
【００８１】
これにより、図６（Ａ）に示すように、サーバ２４は、校正原稿６０として、荒い網点でイメージオブジェクト４６Ａなどを印刷した校正原稿６０Cが印刷出力されるようにしている。また、イメージオブジェクト４６のみを選択していないときには、荒い網点でグラフィックオブジェクト４８Ａが形成される。
【００８２】
この校正原稿６０Cでは、イメージオブジェクト４６等を荒い網点で印刷することにより、赤入れによって書き込んだ修正指示が、イメージオブジェクト４６Ａと重なっても、修正指示が明確になるようにすると共に、本来のイメージオブジェクト４６等の概略（形成されている画像の雰囲気）も把握できるようになっている。
【００８３】
また、サーバ２４では、薄い色で印刷するように設定されることにより、イメージオブジェクト４６等の画像データに対して、画像濃度を一律に下げる（例えば一律に３０％とするなど）。これにより、図６（Ｂ）に示すように、サーバ２４は、校正原稿６０として、テキストオブジェクト４４以外を薄い色で印刷したイメージオブジェクト４６Ｂやグラフィックオブジェクト４８Ｂが形成された校正原稿６０Ｄが得られるようにしている。
【００８４】
このよう処理は、原稿４２の画像データからフォント情報を抽出することにより、フォント情報によって特定されるテキストオブジェクト４４を分離する。これにより、テキストオブジェクト４４以外のイメージオブジェクト４６やグラフィックオブジェクト４８を示すコードデータを特定することができ、特定したコードデータに基づいて、処理設定に応じた処理を施せばよい。
【００８５】
ここで、図７を参照しながら、校正原稿６０の印刷処理を具体的に説明する。なお、サーバ２４では、予め原稿４２の画像データから校正原稿６０を印刷出力するときの処理設定がなされているものとする。
【００８６】
このフローチャートは、サーバ２４が、原稿４２の画像データを受信することにより実行され、最初のステップ１００では、用紙サイズ、印刷部数（例えば１部）などの基本的印刷設定を行う。これと共に、ステップ１０２では、画像データに対する処理設定を読み込む。
【００８７】
この後、ステップ１０４では、処理設定としてあたり罫６２での印刷が指定されているかを確認し、ステップ１０６では、荒い網点で印刷が指定されているか否かを確認し、さらに、ステップ１０８では、薄い色での印刷が指定されているかを確認する。
【００８８】
ここで、あたり罫６２での印刷が指定されているとステップ１０４で肯定判定してステップ１１０へ移行する。このステップ１１０では、イメージオブジェクト４６やグラフィックオブジェクト４８の位置に、あたり罫６２を印刷するように画像処理を設定する。
【００８９】
また、ステップ１１２では、ファイル名の印刷が指定されているか確認し、ファイル名の印刷が指定されているときには、ステップ１１２で肯定判定してステップ１１４へ移行し、あたり罫６２に隣接する所定位置に、ファイル名を印刷するように画像処理を設定する。
【００９０】
このようにしてあたり罫６２の印刷ないしあたり罫６２とファイル名６４を印刷するように画像処理を行うと、ステップ１１６へ移行し、印刷設定及び処理設定に基づいた画像処理を実行し、ステップ１１８では、ラスタデータの生成を行う（ＲＩＰ処理）。
【００９１】
このようにして、ラスタデータが生成されると、ステップ１２０では、このラスタデータをプリンタ２０へ出力して印刷処理を実行する。これにより、校正原稿６０Ａ又は校正原稿６０Ｂが印刷出力される。
【００９２】
一方、荒い網点での印刷が指定されていると、ステップ１０６で肯定判定してステップ１２２へ移行し、写真画像であるイメージオブジェクト４６のみに対する指定かを確認する。
【００９３】
ここで、イメージオブジェクト４６のみに対する指定であるときには、ステップ１２２で肯定判定してステップ１２４へ移行し、写真画像のみが荒い網点で印刷されるように画像処理を設定する。
【００９４】
また、イメージオブジェクト４６のみに対する指定でないときには、ステップ１２２で否定判定してステップ１２６へ移行し、文字などのテキストオブジェクト４４を除くイメージオブジェクト４６やグラフィックオブジェクト４８が、荒い網点で印刷されるように画像処理を設定する。
【００９５】
このようにして画像処理が設定されることにより、イメージオブジェクト４６又は、テキストオブジェクト４４を除くイメージオブジェクト４６やグラフィックオブジェクト４８が荒い網点で印刷された校正原稿６０Ｃが得られる。
【００９６】
また、薄い色での印刷が指定されているときには、ステップ１０８で肯定判定してステップ１２８へ移行する。このステップ１２８では、テキストオブジェクト４４を除くイメージオブジェクト４６やグラフィックオブジェクト４８が、薄い色で印刷されるように画像処理を設定する。
【００９７】
これにより、イメージオブジェクト４６やグラフィックオブジェクト４８が薄い色で印刷された校正原稿６０Ｄが印刷出力される。なお、校正原稿の印刷出力に対して何の指定もなければ、ステップ１０４〜１０６のそれぞれで否定判定され、通常の印刷処理が実行される。
【００９８】
このようにして得られる校正原稿６０（６０Ａ〜６０Ｄ）に、赤色などの所定の色の筆記具を用いて修正指示を書き込むことにより、赤入れ原稿を作成すると、ここ赤入れ原稿をスキャナ２２に装填して、赤入れ原稿に応じた画像データを生成し、生成した画像データを、ユーザー１２Ａへ伝送する。これにより、プリンタ１６から赤入れ原稿が印刷出力されることにより、赤入れ原稿がユーザー１２Ａに渡される。
【００９９】
ここで、校正原稿６０Ａ、６０Ｂには、カラー画像であるカラーオブジェクト４６やグラフィックオブジェクト４８が記録されておらず文字などのテキストオブジェクト４４とあたり罫６２が記録されている。
【０１００】
このために、赤入れによって加筆された修正指示が明瞭となり、また、文字などの確認も可能となっている。
【０１０１】
また、校正原稿６０Ａ、６０Ｂから作成した赤入れ原稿の画像データには、イメージオブジェクト４６やグラフィックオブジェクト４８の画像データが含まれなくなるので、イメージオブジェクト４６やグラフィックオブジェクト４８が含まれているときに比べて、データ量が極めて少なくなる。
【０１０２】
したがって、ユーザー１２Ｂから赤入れ原稿をユーザー１２Aに戻すときなどにおいてデータの伝送時間が短くてすむと共に、伝送コストを抑えることができる。
【０１０３】
また、校正原稿６０Ｂは、あたり罫６２に加えてファイル名６４が印刷されているので、あたり罫６２内に形成されるべきイメージオブジェクト４６やグラフィックオブジェクト４８の確認も可能となっている。
【０１０４】
また、校正原稿６０Ｃには、荒い網点のイメージオブジェクト４６Ａなどが形成されており、校正原稿６０Ｄには、薄い色のイメージオブジェクト６４Ｂなどが形成されている。
【０１０５】
これにより、校正原稿６０Ｃ、６０Ｄでは、イメージオブジェクト４６Ａ等の確認が可能となっている。また、校正原稿６０Ｃ、６０Ｄでは、イメージオブジェクト４６などのカラー画像が鮮明でなくなっているために、赤入れによって書き込んだ文字などの修正指示が目立つようになり、これにより、修正指示の的確な確認が可能となっている。
【０１０６】
また、校正原稿６０Ｃでは、イメージオブジェクト４６などが荒い網点のイメージオブジェクト４６Ａなどとして形成されているために、正規の網点で形成しているときに比べて、赤入れ原稿を画像データとして伝送するときのデータ量が少なくなり、伝送時間の短縮や伝送コストの抑制が図られるようになっている。
【０１０７】
このように、校正システム１０では、校正原稿６０Ａ〜６０Ｄの何れかを用いることより、赤入れによって校正指示を行ったときに、校正指示の内容を的確に伝達できるようになっている。
【０１０８】
一方、イメージオブジェクト４６やグラフィックオブジェクト４８を荒い網点で形成する処理や、薄い色で形成する処理は、ラスタデータ上で、イメージオブジェクト４６やグラフィックオブジェクト４８を形成する画素を抽出して、抽出した画素に対して所定の処理を施すことにより可能となる。
【０１０９】
このときのイメージオブジェクト４６やグラフィックオブジェクト４８を形成する画素の抽出は、例えば、特許第２５６４９５９号などに提案されている公知の手法を用いるもので合っても良い。
【０１１０】
また、網点を荒くするときには、例えば、スクリーン線数を低くすることによる可能なり、また、色を薄くするときには、網点の大きさを一律に減少させるようにするなどの手法を用いることができる。
【０１１１】
さらに、イメージオブジェクト４６やグラフィックオブジェクト４８の色を薄くするときには、複数画素を一つのブロックとして、ブロックごとに画素を抜くようにしても良い。すなわち、縦横に所定画素ずつの領域を一つのブロックとして、それぞれのブロックの所定位置の少なくとも１画素以上を抜くことにより、例えば、白色や薄い色の下地にイメージオブジェクト４６やグラフィックオブジェクト４８を形成することにより、色を薄くできるので、この方法を用いるようにしても良い。
【０１１２】
図８には、校正原稿６０を印刷出力するときのラスタデータ上での処理設定に用いることができるＵＩの一例とする設定ウィンド７０を示している。この設定ウィンド７０には、チェックボックス５２と共に、ラジオボックス５４Ｂ、５４Ｃを設けている。
【０１１３】
これにより、校正原稿６０として、校正原稿６０Ｃ、６０Ｄの何れを選択できるようにあっている。なお、ラスタデータ上では、カラーオブジェクト４６とグラフィックオブジェクト４８の識別が難しいことから、チェックボックス５８を省略している。
【０１１４】
図９には、ラスタデータ上で処理を行うときの校正原稿処理の概略を示している。このフローチャートでは、最初のステップ１４０で印刷設定を行い、ステップ１４２では、設定に基づいた画像処理を実行する。この後、ステップ１４４では、ＲＩＰ処理を実行することによりラスタデータを生成し、ステップ１４６で生成したラスタデータをスプールする。
【０１１５】
このようにしてラスタデータをスプールすると、ステップ１４８では、処理設定が入力されたか否かを確認する。すなわち、ラスタデータをスプールした状態で、設定ウィンド７０等を用いて処理設定を入力することができる。なお、これに限らず、処理設定が予め設定されているときには、ステップ１４６、１４８を省略することができる。
【０１１６】
ここで、処理設定が入力されるとステップ１４８で肯定判定してステップ１５０へ移行し、処理設定を読み込むと共に、ステップ１５２では、スプールしているラスタデータを読み出す。
【０１１７】
この後、ステップ１５４では、処理設定が荒い網点で印刷するように設定されているか否かを確認し、ステップ１５６では、薄い色で印刷するように設定されているか否かを確認する。
【０１１８】
ここで、イメージオブジェクト４６などを荒い網点で印刷するように設定されているときには、ステップ１５４で肯定判定してステップ１５８へ移行し、イメージオブジェクト４６やグラフィックオブジェクト４８などの、テキストオブジェクト４４以外のオブジェクトを形成する画素を抽出し、抽出した画素によって形成される領域に対して、例えば、５０lpiなどの低線数のスクリーン処理等を行うことにより荒い網点が形成されるようにする。
【０１１９】
この後に、ステップ１６０では、ラスタデータをプリンタ２０へ出力することにより、印刷処理を実行する。これにより、校正原稿６０Ｃが得られる。このとき、網点を荒くしたラスタデータをプリンタ２０へ出力するので、プリンタ２０へ出力するデータの圧縮率を上げることができるので、データの伝送時間の短縮を図ることができる。
【０１２０】
また、イメージオブジェクト４６などを薄い色で印刷するように設定されているときには、ステップ１５６で肯定判定してステップ１６２へ移行し、イメージオブジェクト４６やグラフィックオブジェクト４８などの、テキストオブジェクト４４以外のオブジェクトを形成する画素を抽出し、抽出した画素のドット（網点）を一律に縮小（例えば３０％の縮小化）する。
【０１２１】
これにより、ステップ１６０でラスタデータをプリンタ２０へ出力することにより、イメージオブジェクト４６などのテキストオブジェクト４４以外のオブジェクトを薄い色で形成した校正原稿６０Ｄが得られる。なお、イメージオブジェクト４６などに対する処理が設定されていなく、印刷出力のみを行う時には、ステップ１５４、１５６で否定判定して、ステップ１６０が実行される。
【０１２２】
このように、荒い網点や薄い色などでイメージオブジェクト４６などを形成するときには、ラスタデータに対する処理によっても可能となる。
【０１２３】
なお、以上説明した本実施の形態では、サーバ２４上で予め校正原稿を出力するときの処理を設定するか、画像処理時などの所定のタイミングで設定を入力するようにしたが、これに限らず、画像処理端末２６に設けているプリンタドライバ（ドライバソフト）上で、印刷設定と共に処理設定が入力設定されるものであっても良い。
【０１２４】
すなわち、ユーザー１２Ａから原稿４２の画像データを、画像処理端末２６へ伝送するようにし、画像処理端末２６からこの画像データをサーバ２４へ伝送するときに、印刷設定と共に処理設定を行って、所望の校正原稿６０が印刷出力されるようにする。
【０１２５】
このときに、画像処理端末２６では、イメージオブジェクト４６などを通常の形態で印刷出力したり、画像処理端末２６上の図示しない表示デバイス上に表示するなどして確認できるので、赤入れ原稿上であたり罫６２のみを印刷するようにした校正原稿６０Ａ、６０Ｂを用いたときでも、本来のイメージオブジェクト４６を正確に確認することができる。
【０１２６】
また、本実施の形態では、画像データの伝送先であるユーザー１２Ｂで処理設定を行うように説明したが、これに限らず、画像処理端末１４上で、画像データを伝送するとき処理設定を入力するようにすることもできる。
【０１２７】
なお、以上説明した本実施の形態は、本発明の構成を限定するものでは無く、本発明は、校正システム１０に限らず、リモートカラープルーフが適用可能な任意の構成に適用することができる。
【図面の簡単な説明】
【０１２８】
【図１】本実施の形態に適用した印刷システムの概略構成図である。
【図２】画像形成装置の一例とするサーバの概略構成図である。
【図３】選択手段とするＵＩの一例を示す設定ウィンドの概略図である。
【図４】原稿の一例を示す概略図である。
【図５】（Ａ）はあたり罫を形成した校正原稿の一例を示す概略図、（Ｂ）はあたり罫とファイル名を形成した校正原稿の一例を示す概略図である。
【図６】（Ａ）は荒い網点を形成した校正原稿の一例を示す概略図、（Ｂ）は薄い色で形成した校正原稿の一例を示す概略図である。
【図７】校正原稿の印刷処理の一例を示す流れ図である。
【図８】選択手段として用いるＵＩの他の一例を示す概略図である。
【図９】校正原稿の印刷処理の他の一例を示す流れ図である。
【符号の説明】
【０１２９】
１０    校正システム
１２（１２Ａ、１２Ｂ）  ユーザー
１４、２６    画像処理端末（画像処理装置）
１６、２０    プリンタ（出力装置）
１８    プリントサーバ（画像形成装置）
２２    スキャナ
２４    サーバ（画像形成装置）
３２    プリントコントローラ（画像処理手段）
３４    画像処理部（画像処理手段）
４０    処理設定部（処理設定手段）
５０、７０    設定ウィンド（選択手段）
４２    原稿
４４    テキストオブジェクト（文字）
４６、４６Ａ、４６Ｂ    イメージオブジェクト（写真画像）
４８、４８Ａ、４８Ｂ    グラフィックオブジェクト（グラフィック画像）
６０（６０Ａ、６０Ｂ、６０Ｃ、６０Ｄ）    校正原稿
６２    あたり罫
６４    ファイル名
【図１】
2006279097.tif 000003
【図２】
2006279097.tif 000004
【図３】
2006279097.tif 000005
【図５】
2006279097.tif 000006
【図７】
2006279097.tif 000007
【図８】
2006279097.tif 000008
【図９】
2006279097.tif 000009
【図４】
2006279097.tif 000010
【図６】
2006279097.tif 000011